(57)【特許請求の範囲】
【請求項１】
情報を提供しうる複数のサーバがインターネットを介して接続されたクライアントサーバシステムにおける公衆インターネット機器用の端末クライアントであって、
所望のアドレスにアクセスする送信手段と、
該送信手段にてアクセスされた該所望のアドレスに対応するデータを受信する受信手段と、
該受信手段にて受信された該データに基づいて情報を表示する表示手段と、
利用者が現金を投入するための現金投入手段と、
該現金投入手段に投入された該現金の残高を保持する残高保持手段と、
支払い額と該残高とを比較し該残高が足りる場合は該インターネットとの通信を許可し該残高が不足した場合は該インターネットとの通信を停止する動作制御手段と、
さらに、
広告者識別子を保持する第１識別子保持手段と、
該第１識別子保持手段にて保持された該広告者識別子と、広告者が配布した情報伝達媒体に記載された広告者識別子であって該利用者により入力された広告者識別子との認証結果の真偽を出力する認証結果出力手段と、
該表示手段に広告を所定時間ごとに切り換えて表示する第１の広告方法と、該複数のサーバのうちの管理サーバに登録された広告情報を該利用者に見てもらう代わりに該広告情報を見た該利用者に対してインターネット接続サービスを提供する第２の広告方法と、該広告者が配布した情報伝達媒体に記載された広告者識別子を用いて特定の利用者にインターネット接続サービスを提供する第３の広告方法とを行なう制御手段とをそなえ、
上記の制御手段が、該第１の広告方法を、タイマーのカウント処理を行ないうるＣＰＵ（Central Processing Unit）がそのカウント処理によって行なうために、該動作制御手段において該支払い額と該残高とを比較し該残高が足りる場合は該インターネットとの通信を許可し該残高が不足した場合は該インターネットとの通信を停止するとともに、該残高が足りる場合は該現金投入手段への投入金額に応じた時間だけ該利用者による端末クライアント自身の操作を許可し該残高が不足した場合は該表示手段に広告表示を命令し、
上記の制御手段が、該第２の広告方法を、該ＣＰＵがそのカウント処理を行なうとともに該利用者が該表示手段に表示されたアイコンをクリック処理によって行なうために、該広告者が提供するインターネット接続サービス用のアイコンを該利用者がクリックすると、該広告者の広告を該表示手段に表示させるとともに、該一定時間が経過すると該表示手段にインターネット接続の初期画面を表示させ、
上記の制御手段が、該第３の広告方法を、該第１識別子保持手段に保持された該広告者識別子と該認証結果出力手段から出力される該認証結果の真偽とを用いた認証処理によって行なうために、該認証結果出力手段から出力される該認証結果の出力が真のときは、アドレスを該第１識別子保持手段に保持された該広告者識別子の保持アドレスに切り換えて該広告情報を該利用者に所定時間見てもらうとともに、該所定時間の経過後はアドレスをインターネット接続用の初期画面アドレスに切り換えするように構成されたことを特徴とする、公衆インターネット機器用の端末クライアント。
【発明の詳細な説明】
【０００１】
【発明の属する技術分野】
本発明は、例えばインターネット接続サービスの提供に用いて好適な、公衆インターネット機器用の端末クライアントに関する。
【０００２】
【従来の技術】
インターネットの利用者数の増加により、情報収集の手段、情報伝達手段又はビジネス戦略手段などの分野において、ＩＴ（Information Technology：情報技術）革命が進展している。そして、パーソナルコンピュータの普及とともに、利用者は、電子メールの利用やホームページへのアクセスが簡単にできるようになっている。
【０００３】
また、利用者は、自宅や職場からインターネットに接続するのみならず、インターネットカフェなどにおいてもインターネットに接続できる。加えて、近年のモバイル通信の発展に伴って、利用者は屋外や車両，列車などにおいても、小型の携帯端末を用いてインターネットに無線により接続できる。
ここで、利用者とは、インターネットの利用者を意味し、また、以下の説明においては、パーソナルコンピュータ，電子メールを、それぞれ、パソコン，メール及びＥメールと略称することがある。
【０００４】
最近、広告手段の多様化が進み、ダイレクト電子メールや、ホームページへのバナー広告の掲載などが行なわれている。例えば、広告者（以下、広告主と称することがある）は、頻繁にアクセスされるホームページの作者に対して、そのホームページの他人によるアクセス回数に応じた広告料金を支払うようになっている。従って、広告媒体として、インターネットを利用することも一般的になっている。
【０００５】
【発明が解決しようとする課題】
しかしながら、モバイル通信機器の普及率は高くなく、公衆電話に相当するいわば公衆インターネット接続機器が設置されている場所も多くはない。
また、インターネットカフェなどは、設置スペースに比したパソコンの稼働率が低く、設置スペースを有効に利用できない。その上、インターネットカフェは、一旦、店舗にそのようなパソコンを設置すると、その後、ビジネスを続行する意志がなくなった場合に、他の業種に変更するための店舗の配置変更が困難であるという課題がある。
【０００６】
加えて、利用者がインターネット接続する場合に、駅などで小型の携帯端末を用いて操作すると、利用者のプライベート空間は、必ずしも確保されているとはいえないという課題がある。
そして、インターネットを用いた広告は、利用者が広告内容をほとんど見ないことがあり、必ずしも十分な広告効果が期待できないという課題がある。
【０００７】
本発明は、このような課題に鑑み創案されたもので、インターネットにおいて、端末クライアントを用いてサービス提供者が利用者に広告効果を向上させることができ、かつ、利用者に対する高い付加価値のサービスを実施できる、公衆インターネット機器用の端末クライアントを提供することを目的とする。
【０００８】
【課題を解決するための手段】
このため、本発明の公衆インターネット機器用の端末クライアントは、情報を提供しうる複数のサーバがインターネットを介して接続されたクライアントサーバシステムにおけるものであって、所望のアドレスにアクセスする送信手段と、送信手段にてアクセスされた所望のアドレスに対応するデータを受信する受信手段と、受信手段にて受信されたデータに基づいて情報を表示する表示手段と、利用者が現金を投入するための現金投入手段と、現金投入手段に投入された現金の残高を保持する残高保持手段と、支払い額と残高とを比較し残高が足りる場合はインターネットとの通信を許可し残高が不足した場合はインターネットとの通信を停止する動作制御手段と、さらに、広告者識別子を保持する第１識別子保持手段と、第１識別子保持手段にて保持された広告者識別子と、広告者が配布した情報伝達媒体に記載された広告者識別子であって利用者により入力された広告者識別子との認証結果の真偽を出力する認証結果出力手段と、表示手段に広告を所定時間ごとに切り換えて表示する第１の広告方法と、複数のサーバのうちの管理サーバに登録された広告情報を利用者に見てもらう代わりに広告情報を見た利用者に対してインターネット接続サービスを提供する第２の広告方法と、広告者が配布した情報伝達媒体に記載された広告者識別子を用いて特定の利用者にインターネット接続サービスを提供する第３の広告方法とを行なう制御手段とをそなえ、上記の制御手段が、第１の広告方法を、タイマーのカウント処理を行ないうるＣＰＵがそのカウント処理によって行なうために、動作制御手段において支払い額と残高とを比較し残高が足りる場合はインターネットとの通信を許可し残高が不足した場合はインターネットとの通信を停止するとともに、残高が足りる場合は現金投入手段への投入金額に応じた時間だけ利用者による端末クライアント自身の操作を許可し残高が不足した場合は表示手段に広告表示を命令し、上記の制御手段が、第２の広告方法を、ＣＰＵがそのカウント処理を行なうとともに利用者が表示手段に表示されたアイコンをクリック処理によって行なうために、広告者が提供するインターネット接続サービス用のアイコンを利用者がクリックすると、広告者の広告を表示手段に表示させるとともに、一定時間が経過すると表示手段にインターネット接続の初期画面を表示させ、上記の制御手段が、第３の広告方法を、第１識別子保持手段に保持された広告者識別子と認証結果出力手段から出力される認証結果の真偽とを用いた認証処理によって行なうために、認証結果出力手段から出力される認証結果の出力が真のときは、アドレスを第１識別子保持手段に保持された広告者識別子の保持アドレスに切り換えて広告情報を利用者に所定時間見てもらうとともに、所定時間の経過後はアドレスをインターネット接続用の初期画面アドレスに切り換えするように構成されたことを特徴としている。
【００１３】
【発明の実施の形態】
以下、図面を参照して本発明の実施の形態を説明する。
（Ａ）本発明の第１実施形態の説明
図１は本発明を適用されるクライアントサーバシステムの構成図である。この図１に示すクライアントサーバシステム（以下、本システムと略称することがある）９は、情報を提供しうる複数のサーバがインターネット８を介して接続されたクライアントサーバシステムである。そして、本システム９は、インターネット８と、端末クライアント１０ａ〜１０ｄと、本人サーバ１２と、サーバ１３ａ〜１３ｂとをそなえて構成されている。
【００１４】
本システム９は、広告者（広告主）と利用者とサービス提供者との３者が利用するものである。広告者は広告情報（ブラウザプログラムにより表示される企業宣伝，製品広告及びサービス広告などを意味し、以下、ＣＭと略称することがある。）を広告宣伝する者であり、例えば企業や各種団体である。利用者はインターネット８に接続された端末クライアント１０ａ〜１０ｄを用いてインターネット８を利用する者であり、一般のユーザに相当する。また、サービス提供者は利用者にインターネット接続サービスを提供するとともに広告者からの広告情報を利用者に対して送信し、本システム９を運営・運用する者であり、例えば企業や各種団体である。
【００１５】
ここで、インターネット８は、インターネット網であり、情報を提供しうる複数のサーバを有する。
さらに、本人サーバ（管理サーバ，制御サーバ）１２は、広告情報を保持しうるものである。そして、本人サーバ１２は、複数のサーバの一つであって端末クライアント１０ａ〜１０ｄの通信についての管理及び制御をするものである。具体的には、本人サーバ１２は、ホームページの情報や広告などを提供するとともに、端末クライアント１０ａ〜１０ｄのＩＰアドレスを保持管理し、それら以外の端末クライアント１０ａ〜１０ｄからのアクセス制限に関する制御をするようになっている。
【００１６】
図２は本発明の第１実施形態に係る本人サーバ１２の機能ブロック図である。この図２に示す本人サーバ１２は、情報を提供しうる複数のサーバがインターネット８を介して接続されたクライアントサーバシステム９におけるサーバであって、広告保持手段１２ａと、送信手段１２ｂと、受信手段１２ｃと、主制御手段１２ｅと、記憶手段１２ｆと、変換手段１２ｇと、広告者情報保持手段１２ｈとをそなえて構成されている。また、本人サーバ１２の機能はパソコンやワークステーションにより実現される。
【００１７】
ここで、広告保持手段１２ａは、広告情報に関する広告データを保持するものである。そして、サービス提供者は、インターネット接続サービスに当たり、本システム９を用いた広告者を募集し、広告者の広告情報を広告者ごとに別々のディレクトリに割り当てるようにして保持する。また、各ディレクトリは、それぞれ、個別なＵＲＬ（Uniform Resource Locator）が付されるようになっている。そして、端末クライアント１０ａ〜１０ｄが、それぞれ、所望のＵＲＬにアクセスして、そのＵＲＬに保持された広告情報が、端末クライアント１０ａ〜１０ｄのディスプレイ１６ａに表示されるのである。
【００１８】
また、広告者情報保持手段１２ｈは、広告保持手段１２ａに保持された広告者の契約期間などの広告者情報を保持するものである。これらの広告保持手段１２ａと広告者情報保持手段１２ｈとは、ともに、ハードディスクなどにより実現される。
さらに、送信手段１２ｂは、インターネット８に接続されたサーバ１３ａ〜１３ｂに対してＩＰアドレスなどを送信するものである。受信手段１２ｃは、インターネット８に接続され、端末クライアント１０ａ〜１０ｄから送信されたデータを受信するものである。
【００１９】
加えて、主制御手段１２ｅは、本人サーバ１２の主制御を行なうとともに、インターフェース手段（図示省略）を解して、インターネット８と本人サーバ１２との電気信号フォーマットを相互に変換するものであり、この機能は、それぞれ、例えばＩＣ（Integrated Circuit）などのハードウェアにより発揮される。また、記憶手段１２ｆは受信手段１２ｃに接続され、所望のデータを保持しうるものである。この機能は例えばメモリなどにより実現される。
【００２０】
さらに、変換手段１２ｇは、受信手段１２ｃに接続され、受信データ（受信ディジタルデータ）を、例えばＴＩＦＦ，ＢＭＰ，Ｅｘｉｆ，ＪＰＥＧ，ＧＩＦ，ＰＳＤなどの所望のファイル形式に変換し、その変換されたデータを記憶手段１２ｆに入力するものである。そして、送信手段１２ｂが、記憶手段１２ｆから変換されたデータを読み出して、そのデータを他のサーバに対して送信するようになっている。この機能は例えばソフトウェアにより実現される。なお、これらのファイル形式についての詳細な説明は、公知であるので、省略する。
【００２１】
これにより、サービス提供者は、広告収入を得ることができ、また、立地条件や事業の見直す必要が生じたときにも、他の業種用システムに変更でき、コイン料金の設定を変更したり、広告単価を比較的容易に改定できる。
さらに、図１において、サーバ１３ａ〜１３ｂは、それぞれ、ｗｅｂサーバであって、個人又は企業のホームページなどの情報を発信するものである。なお、サーバ１３ａ〜１３ｂの機能は、いずれも、パソコンやワークステーションにより実現される。
【００２２】
また、端末クライアント１０ａ〜１０ｄは、それぞれ、情報を提供しうる複数のサーバがインターネット８を介して接続されたクライアントサーバシステムにおける端末クライアントであって、例えばパソコンによりその機能が実現される。そして、これらの端末クライアント１０ａ〜１０ｄは、いずれも、投入金額に応じた時間だけ使用可能になっている。さらに、端末クライアント１０ａ〜１０ｄは、いずれも、筺体に組み込まれた状態にて、駅や空港などに設置されている（後述する図４参照）。なお、これらの端末クライアント１０ａ〜１０ｄのそれぞれと、インターネット８との間は、ＯＣＮ（サービス名）を用いて、接続されるようになっている。
【００２３】
これにより、利用者は、例えば端末クライアント１０ａを用いて、インターネット接続を行ない、例えば検索ページのＵＲＬを入力し、インターネット８を介して、サーバ１３ａ〜１３ｂにアクセスして、ホームページから必要な情報を得たり、フリーウェアなどのファイルをダウンロードするのである。
次に、上記の端末クライアント１０ａ〜１０ｄについて図３を用いてハードウェア構成を説明し、図４を用いて概略図を、そして、図５を用いて機能ブロックを説明する。
【００２４】
図３は本発明の第１実施形態に係る端末クライアント１０ａのハードウェアの構成図である。この図３に示す端末クライアント１０ａは、ターミナルアダプター（ＴＡ）１４ａと、コイン・紙幣投入ボックス１６ｂと、パソコン１１１とをそなえて構成されている。
ここで、ターミナルアダプター１４ａは、インターネット８とパソコン１１１との間に設けられ、通信プロトコルを変換する終端装置である。
【００２５】
また、コイン・紙幣投入ボックス１６ｂは、コイン（又は紙幣）タイマー式であって、利用者が投入した金額に応じて一定時間、パソコン１１１の動作を制御するものである。そして、例えば利用者が１００円コインを投入すると、１０分間インターネット接続でき、また、利用者の接続料金が投入金額よりも少なければ、釣り銭が出るようになっている。
【００２６】
これにより、利用者はゲーム機器や公衆電話にコインを投入する感覚と同様な感覚でインターネット接続を利用できる。
そして、投入金額を識別するために、コイン・紙幣投入ボックス１６ｂは、利用者によってコイン又は紙幣が投入されると、検出信号を送出するようにもなっている。従って、この検出信号により、利用者が投入した金額に応じて一定時間パソコン１１１の動作が制御される。
【００２７】
換言すれば、コイン・紙幣投入ボックス１６ｂは、利用者にインターネット接続端末としてのパソコン１１１を時間貸しするのである。なお、この時間や金額は、種々の値に変更できる。
次に、パソコン１１１は、公知の機能を有するほかに、インターネット接続可能なものであって、ＣＰＵ（Central Processing Unit）１１ａと、インターフェース手段（Ｉ／Ｏ）１４ｂ〜１４ｄと、ハードディスク１１ｂと、ＲＯＭ（Read Only Memory）１１ｃと、ＲＡＭ（Random Access Memory）１１ｅと、バスライン１１ｄのほか、ディスプレイ１６ａ，トラックボール１６ｃ，フロッピーディスクドライブ１６ｄ，キーボード１６ｅ，プリンタ１６ｆ，記憶媒体ドライブ手段（記憶媒体ドライブ）１６ｈとをそなえて構成されている。
【００２８】
ここで、ＣＰＵ１１ａは演算を行なうものであり、ハードディスク１１ｂは記憶装置であり、ＲＯＭ１１ｃ，ＲＡＭ１１ｅはそれぞれメモリであり、バスライン１１ｄは電気信号の伝送ラインである。これらのものは、公知技術と同一の機能を発揮しているものなので、詳細な説明を省略する。
また、インターフェース手段１４ｂはターミナルアダプター１４ａとバスライン１１ｄとに接続され電気信号フォーマットを相互に変換するものであり、インターフェース手段１４ｃは、コイン・紙幣投入ボックス１６ｂとＣＰＵ１１ａとに接続され電気信号フォーマットを相互に変換するものである。同様に、インターフェース手段１４ｄは、ディスプレイ１６ａ，トラックボール１６ｃ，フロッピーディスクドライブ１６ｄ，キーボード１６ｅ，プリンタ１６ｆ，記憶媒体ドライブ１６ｈ，バスライン１１ｄとに接続され電気信号フォーマットを相互に変換するものである。なお、これらのインターフェース手段１４ｂ〜１４ｄの機能は、それぞれ、例えばＩＣなどのハードウェアにより発揮される。
【００２９】
さらに、ディスプレイ１６ａは、情報を表示するものであり、インターネット８に接続されたサーバが提供する情報を表示したり、広告を例えば１５秒ごとに切り換えて表示するようになっている。また、トラックボール１６ｃは、画面の所望の位置にカーソルなどを移動させるものである。このトラックボール１６ｃは、マウスに比較して利用者が簡単に扱えるようになっており、パソコン１１１の取扱いに不慣れな利用者の使用を促進することができる。
【００３０】
そして、フロッピーディスクドライブ１６ｄは、フロッピーディスクを記録・再生するものあって、利用者は、インターネットにて取り寄せた情報を、フロッピーディスクにコピーすることによって、自宅，職場に置かれたパソコンを用いてその情報を活用できる。また、キーボード１６ｅは、利用者が必要なデータを入力するためのものである。
【００３１】
加えて、プリンタ１６ｆは、ディスプレイ１６ａに表示された内容などを印刷するものである。このプリンタ１６ｆの出力口は、キーボード１６ｅの下方に設けられ、利用者は画面に表示された情報をその場にて印刷できるようになっている。
さらに、記憶媒体ドライブ１６ｈは、ディジタルデータを記憶する記憶媒体を読み出し／書き込みするものであり、スマートメディアや、メモリースティックなどの記憶媒体（以下、単にスマートメディア類と略称することがある）を読み書きするようになっている。
【００３２】
これにより、利用者は、スマートメディア類に、ディジタルカメラを用いて撮影したディジタルデータを記録し、その記憶媒体ドライブ手段１６ｈにより読み出された撮影データをメールに添付して送信するのである。
加えて、利用者は、アイモード（商品名及びサービス名を表す。ｉ−ｍｏｄｅとも称される）を用いてその撮影データを転送するようにもできる。そして、このアイモードサービスを提供するためのアイモードサーバ（図示省略）が、インターネット８に接続され、利用者はこのアイモードサーバを介してアイモードサービスをも利用できるようになっている。
【００３３】
ここで、利用者が撮影データをアイモードサーバに送信する操作により、まず、その撮影データは、端末クライアント１０ａから本人サーバ１２に転送され、その本人サーバ１２において、その撮影データについてのファイルナンバーが記録される（控えられる）。そして、本人サーバ１２は、その控えられたファイルナンバーに基づき、撮影データをアイモードサーバに送信するのである。
【００３４】
これにより、利用者が撮影したデータは、アイモードサーバを介して、アイモードに加入している者の携帯電話など（図示省略）に取り込まれ、端末クライアント１０ａから、多数の人に対して、写真などを配信できる。
また、利用者がこの撮影データをメールに添付して送信すると、課金されうる事象として有料となり、サービス提供者は、その料金を徴収するために、利用者に対してコイン又は紙幣の追加投入を表示するようにしている。
【００３５】
なお、端末クライアント１０ｂ〜１０ｄも、この図３に示す端末クライアント１０ａと同様な構成であるので、冗長な説明を省略する。
これにより、駅や空港などにおいて、待ち時間に、利用者は１００円コインをコイン・紙幣投入ボックス１６ｂに投入して、インターネット接続できる。
従って、利用者は外出先でインターネット接続することができ、また、家庭でパソコンなどを所有していない人でも、インターネット接続を簡便に利用できる。さらに、携帯電話によりインターネット接続している人は、より大きくてカラー表示でインターネット接続を利用できる。
【００３６】
図４は本発明の第１実施形態に係る端末クライアントを模式的に示す斜視図である。この図４に示す端末クライアント１０ａ〜１０ｃ（端末クライアント１０ｄについては図示を省略している）は、いずれも、投入金額に応じた時間だけ使用可能な端末であり、パソコンと筺体とが、一体に組み込まれている。
ここで、端末クライアント１０ａの筺体の大きさは、概略、幅６００ｍｍ（ミリメートル），奥行き７６０ｍｍ，高さ１４９３ｍｍである。さらに、ディスプレイ１６ａ，トラックボール１６ｃ，フロッピーディスクドライブ１６ｄ，キーボード１６ｅ，プリンタ１６ｆが、それぞれ、筺体内に組み込まれている。また、ディスプレイ１６ａの右手に、コイン・紙幣投入ボックス１６ｂの挿入口が設けられ、利用者が１００円コイン又は１０００円紙幣などを投入できるようになっている。加えて、プリンタ１６ｆの下方には、荷物置き場１６ｇとしてスペースが設けられている。そして、記憶媒体ドライブ手段１６ｈが設けられ、利用者がスマートメディア類の読み書きができるようになっている。なお、後述する第１実施形態の変形例においても、端末クライアント１０ａ〜１０ｄの概略は、図４に示すものと同様である。
【００３７】
これにより、利用者が、１００円コインをコイン・紙幣投入ボックス１６ｂに投入すると、１０分間、インターネット接続が可能となり、利用者はゲーム機器や公衆電話にコインを投入する感覚と同様な感覚でインターネット接続を利用できる。また、利用者は、例えば列車の待ち時間に簡便にインターネット接続を楽しむことができる。
【００３８】
このように、利用者は、端末クライアント１０ａ〜１０ｄを、いわば公衆電話に相当する公衆インターネット機器として使用することができる。
次に、図５は本発明の第１実施形態に係る端末クライアント１０ａの機能ブロック図である。この図５に示す端末クライアント１０ａは、送信手段１１１ａと、受信手段１１１ｂと、表示手段１１１ｅと、主制御手段（制御手段）１１１ｃと、動作制御手段１１１ｄと、残高保持手段１１１ｈと、残高増加手段１１１ｎと、支払い額計算手段１１１ｉと、事象検出手段１１１ｊと、現金投入手段１１１ｋと、入力手段１１１ｆと、暗証番号認証結果出力手段１４１ａと、暗証番号保持手段１４１ｂと、印刷手段１１１ｇとをそなえて構成されている。なお、端末クライアント１０ｂ〜１０ｄも、端末クライアント１０ａと同様な構成である。
【００３９】
ここで、送信手段１１１ａは、所望のＵＲＬ（アドレス）にアクセスするものであり、受信手段１１１ｂは、送信手段１１１ａにてアクセスされた所望のＵＲＬに対応するデータを受信するものである。これら送信手段１１１ａ，受信手段１１１ｂの機能は、それぞれ、ターミナルアダプター１４ａ，インターフェース手段１４ｂ，ＣＰＵ１１ａなどにより発揮される。
【００４０】
そして、表示手段１１１ｅは、受信手段１１１ｂにて受信されたデータに基づいて情報を表示するものであり、ディスプレイ１６ａによりその機能が発揮される。
また、入力手段１１１ｆは、入出力を制御しうるものであり、この機能はディスプレイ１６ａ，トラックボール１６ｃ，フロッピーディスクドライブ１６ｄ，キーボード１６ｅなどにより発揮される。これにより、利用者は、入力手段１１１ｆを用いて入力したＵＲＬが、本人サーバ１２に送信され、本人サーバ１２からそのＵＲＬにアクセスされる。
【００４１】
そして、主制御手段１１１ｃは、複数のサーバのうち広告情報を保持する管理サーバにおける広告情報の保持アドレスとインターネット接続用の初期画面アドレスとを、送信手段１１１ａに対して選択的に入力するものである。すなわち、主制御手段１１１ｃは、広告情報が保持されているＵＲＬとインターネット接続用の初期画面のＵＲＬとを切り換えるようになっている。
【００４２】
また、主制御手段１１１ｃは、送信手段１１１ａ，受信手段１１１ｂ，動作制御手段１１１ｄ，残高保持手段１１１ｈ，表示手段１１１ｅ，入力手段１１１ｆ，暗証番号認証結果出力手段１４１ａ，暗証番号保持手段１４１ｂ及び印刷手段１１１ｇにそれぞれ接続され、投入金額に応じた時間だけ利用者による端末クライアント１０ａの操作を許可するとともに主制御を行なうものである。また、主制御手段１１１ｃは、残高が不足した場合は、広告表示を命令するようになっている。この機能は、ＣＰＵ１１ａ，ＲＯＭ１１ｃ，ＲＡＭ１１ｅなどにより発揮される。
【００４３】
加えて、印刷手段１１１ｇは、情報を印刷するものであり、プリンタ１６ｆによりその機能が発揮される。また、現金投入手段１１１ｋは、利用者が現金を投入するものであり、この機能はコイン・紙幣投入ボックス１６ｂによって実現されている。
そして、事象検出手段１１１ｊは、課金されうる事象が発生したことを検出するものである。この課金されうる事象とは、料金支払いが必要なアプリケーションが起動されることであり、具体的には、利用者が現金を投入したことや、利用者が印刷アイコンをクリックしたことや、利用者が、占いのような有料情報を提供するホームページ（以下、有料ページと称することがある）にアクセスしたことを意味する。この機能は、コイン・紙幣投入ボックス１６ｂ，ＣＰＵ１１ａなどにより発揮される。
【００４４】
また、支払い額計算手段１１１ｉは、動作制御手段１１１ｄ，事象検出手段１１１ｊにそれぞれ接続され、事象に応じた支払い額を計算するものである。これらの機能はＣＰＵ１１ａ，ＲＯＭ１１ｃ，ＲＡＭ１１ｅなどにより発揮される。
これにより、事象検出手段１１１ｊにて、利用者が印刷アイコンをクリックしたことなどが検出され、支払い額計算手段１１１ｉにて、その事象に応じた支払い額が計算される。
【００４５】
そして、残高保持手段１１１ｈは、利用者がコイン・紙幣投入ボックス１６ｂに投入した現金の残高を保持するものである。これらの機能はＣＰＵ１１ａ，ＲＯＭ１１ｃ，ＲＡＭ１１ｅなどにより発揮される。
さらに、残高増加手段１１１ｎは、残高保持手段１１１ｈに接続され、入金しうる事象が発生したことを検出すると、残高保持手段１１１ｈに保持された残高を増加させるものである。この入金しうる事象とは、残高を増加させる事象を意味し、例えば利用回数の多い顧客に対しては割引を適用したり、あるいは、端末クライアント１０ａを使用する利用者が、市場調査（テスト市場調査）に回答したときに、その手数料として、返金するような場合である。
【００４６】
従って、残高保持手段１１１ｈに保持される残高は、カウント値が減少するのみならず、入金しうる事象が発生した場合には、そのカウント値が増加するようになっている。
そして、この動作制御手段１１１ｄは、残高が足りる場合は、キーボード１６ｅのファンクションキー（Ｆ１キー，Ｆ２キー，Ｆ３キー，Ｆ４キー）や、コントロールキーなどを無効にするようにしている。この理由は、Ｗｉｎｄｏｗｓ（商品名）のシステムファイルの中身を書き換えられたり、削除されたり、また、コピーを防止し、何者かによるパソコン１１１の強制終了によってシステムファイルが破壊されないようにするためでもある。
【００４７】
さらに、端末クライアント１０ａは、利用者が、コインなどを投入しない間は、ディスプレイ１６ａに、企業広告を表示するようになっている。
次に、図６〜図１１を用いて、広告方法について説明する。ここで、本システム９のサービス提供者は、インターネットを用いた広告として、３種類の広告方法を用いるようになっている。
【００４８】
図６は本発明の第１実施形態に係る現金投入前の画面表示の一例を示す図である。この図６に示すディスプレイ１６ａは、画面の中央部に各企業の広告（例えばレストランＦ店の広告）を表示し、また、画面の上部にアイコン２２ａ，２２ｂを設けている。なお、説明の都合上、アイコン２２ａ，２２ｂの大きさは、誇張されている。
【００４９】
まず、第１の広告方法は、主制御手段１１１ｃが、この図６に示すディスプレイ１６ａに、各企業の広告（例えばレストランＦ店の広告）を例えば１５秒ごとに次々と切り換えて表示する方法である。
図７は本発明の第１実施形態に係る現金投入前の画面表示の一例を示す図であり、ディスプレイ１６ａの表示画面（Ｐ１〜Ｐ６）が時系列的に示されている。ここで、端末クライアント１０ａは、利用者が着席しない間は、広告を表示し続け、駅や空港などにおける広告塔として働く。
【００５０】
最初に、図７に示す符号Ｐ１を付した立ち上がり画面が表示され、１５秒後に、画面Ｐ２のようなＡ社の広告が表示される。同様に、その１５秒後に、Ｂ社の広告が表示され（画面Ｐ３）、その１５秒後に、Ｃ店の広告が表示され（画面Ｐ４）、その１５秒後に、Ｄ社の広告が表示され（画面Ｐ５）、その１５秒後に、Ｅ店の広告が表示され（画面Ｐ６）、そして、その１５秒後に再度、画面Ｐ１が表示されて、この表示が繰り返されるのである。また、この広告が表示されているときに、利用者は、直接、その広告者のホームページに移動できるようにもなっている。
【００５１】
図８は本発明の第１実施形態に係る広告表示の一例を示す図であり、広告宣伝のほかに、そのホームページにリンクしているＵＲＬが表示されている。そして、利用者は、そのＵＲＬをクリックすると、その広告者のホームページに移動して、そのホームページの内容が表示されるのである。
これにより、広告者は、自社の宣伝広告を効果的に実施することができる。
【００５２】
また、これにより、端末クライアント１０ａを設置したサービス提供者は、コインなどにより容易に利用者から料金を徴収でき、また、端末クライアント１０ａが利用されていない間の広告により、広告収入を得ることができる。
次に、第２の広告方法は、図６において、予め本人サーバ１２の広告保持手段１２ａに登録した広告者が、自社の広告情報を利用者に見てもらう（以下、自社のＣＭを流すと表現することがある）代わりに、その流したＣＭを見た利用者に対して、インターネット接続サービスを無料で提供する方法である。図６に示すアイコン２２ａは、広告者が提供するインターネット接続サービスを利用者に提供するアイコンである。そして、利用者が、このアイコン２２ａをクリックすると、予め登録した複数の広告者の広告がランダムに約１５秒間、ディスプレイ１６ａに表示され、その時間が経過すると、ディスプレイ１６ａが、インターネット接続の初期画面を表示するようになっている。
【００５３】
すなわち、本発明のインターネットにおける広告方法は、情報を提供しうる複数のサーバがインターネット８を介して接続されたクライアントサーバシステム９におけるものである。
まず、インターネット８に接続された端末クライアント１０ａ〜１０ｄを用いてインターネット８を利用する利用者にインターネット接続サービスを提供するとともに広告者からの広告情報を利用者に対して送信するサービス提供者が、広告情報に関する広告データをインターネット８に接続された管理サーバ（本人サーバ１２）に記録する（広告情報記録ステップ）。
【００５４】
そして、端末クライアント１０ａ〜１０ｄのうちの１又は複数が、広告情報記録ステップにて記録された広告データにアクセスし（アクセスステップ）、アクセスステップにてアクセスされた広告データを受信し（受信ステップ）、受信ステップにて受信された広告データに基づく広告情報を例えば１５秒間表示する（広告表示ステップ）。
【００５５】
さらに、利用者が、インターネット接続サービスを利用するのである（接続サービスステップ）。
図９は本発明の第１実施形態に係る現金投入後の初期画面表示の一例を示す図である。この図９に示す初期画面の最上部には、残量表示と複数のアイコンとが設けられている。そして、利用者は、この画面のアドレスに、直接、例えば検索ページのＵＲＬを入力して検索し、関連するホームページを見ることができるのである。
【００５６】
ここで、最上部の最左には残り時間がカウントダウンするタイマーが表示され、その右隣から、戻る，停止などのアイコンと、メール，掲示板などのアイコンと、有料ページへのアクセスアイコンとが設けられている。有料ページとは、占い情報を発信するページのほかに、例えば、特売セール情報（セール）を発信するページや、商品の割引購入が可能なクーポン情報を発信するページなどである。
【００５７】
また、図１０は本発明の第１実施形態に係るアイコン配置の説明図であり、アイコン群１２０が設けられている。利用者が１００円コインを投入した直後は、残高が１０分（残０１０と表示されたもの）であることが表示される。そして、残高保持手段１１１ｈにて、その現金の残高が保持され、動作制御手段１１１ｄにおいて、支払い額と残高とが比較されて、残高が足りる場合はインターネット８との通信が許可され、ファンクションキーが無効にされるとともに、残高が不足した場合はインターネット８との通信が停止されるのである。
【００５８】
これにより、サービス提供者は、広告者に対して、広告者が要求する市場調査を代行できるとともに、利用者に対して、接続時間を延長したり、又は、より高額な有料ページへのアクセスを許可できる。
そして、やはり、利用者がインターネット接続端末を利用していない間は、自動的に広告が表示されるので、サービス提供者は、広告収入を得ることができる。
【００５９】
ここで、広告者は、利用者がインターネット接続サービスに要した費用を、利用者に代わってサービス提供者に対して支払っている。また、１００円分の費用の支払い方法は、一例として、広告者がサービス提供者に対して、例えば月又は年ごとに固定的に料金を支払うようにしている。
このように、広告者は、自社の広告を半ば強制的に利用者に認識させるので、広告効果が向上する。また、広告者は、利用者が端末クライアント１０ａ〜１０ｄの前に着席しさえすれば、広告メッセージを利用者に対して送ることができる。
【００６０】
第３の広告方法は、予め広告者から配布されたサービス券に記載された暗証番号を用いて利用者がインターネット接続サービスを受ける方法である。
図１１（ａ）は本発明の第１実施形態に係るサービス券を示す図である。この図１１（ａ）に示すサービス券（情報伝達媒体）２３は、端末クライアント１０ａ〜１０ｄが設置されている駅・空港などの近くにある店舗（例えば、駅ビル内の飲食店など）に、予め広告者によって無料で配布されている。また、サービス券２３に記載された広告者ＩＤ（広告者識別子）は、数字又は英文字であって、最初の３桁は広告者の識別に割り当てられ、また、残りの８桁は無料利用暗証番号に割り当てられている。
【００６１】
ここで、本発明のインターネット８における広告方法は、情報を提供しうる複数のサーバがインターネット８を介して接続されたクライアントサーバシステム９におけるものである。
まず、インターネット８に接続された端末クライアント１０ａ〜１０ｄを用いてインターネット８を利用する利用者にインターネット接続サービスを提供するとともに広告者からの広告情報を利用者に対して送信するサービス提供者が、広告情報に関する広告データをインターネット８に接続された本人サーバ１２（管理サーバ）に記録する（広告情報記録ステップ）。
【００６２】
次に、広告者は、広告情報記録ステップにて記録された広告データに関連する広告者ＩＤが記載されたサービス券２３を顧客に配布する（情報伝達媒体配布ステップ）。
続いて、利用者は、サービス券２３に記載された広告者ＩＤを端末クライアント１０ａに入力する（広告者識別子入力ステップ）。
【００６３】
そして、サービス提供者は、広告者識別子入力ステップにて入力された広告者ＩＤを認証して真偽を出力する（認証ステップ）。
また、端末クライアント１０ａが、認証ステップにおける出力が真の場合と、広告情報記録ステップにて記録された広告データにアクセスし（アクセスステップ）、端末クライアント１０ａが、アクセスステップにてアクセスされた広告データを受信し（受信ステップ）、そして、端末クライアント１０ａ〜１０ｄは、受信ステップにて受信された広告データに基づく広告情報を例えば１５秒間表示する（広告表示ステップ）。
【００６４】
その後、利用者は、インターネット接続サービスを利用するのである（接続サービスステップ）。なお、図１１（ｂ）については、後述する。
次に、Ｇ店が広告主とした場合、第３の広告方法の具体例について図５を用いて説明する。図５において、暗証番号保持手段（第１識別子保持手段）１４１ｂは、第１の広告者に関するＩＤ（Identification；第１識別子）を保持するものである。このＩＤは、３桁の広告者識別番号とその３桁の広告者識別番号に関する８桁の暗証番号とからなる。また、暗証番号保持手段１４１ｂは例えばハードディスク１１ｂによりその機能が実現される。
【００６５】
また、暗証番号認証結果出力手段１４１ａは、暗証番号保持手段１４１ｂに保持されたＩＤ（第１識別子）と、インターネット８を利用する利用者により入力された第２の広告者に関するＩＤ（第２識別子）との認証結果の真偽を出力するものである。
さらに、上記の主制御手段１１１ｃが、暗証番号認証結果出力手段１４１ａから出力される認証結果の出力が真のときは、第１の広告者に関する広告情報の保持アドレス（ＵＲＬ）とインターネット接続用の初期画面アドレス（ＵＲＬ）とを、送信手段１１１ａに対して選択的に入力するようになっている。
【００６６】
これにより、まず、利用者は、Ｇ店のサービス券２３を取得し、端末クライアント１０ａの前に着席し、図６に示すアイコン２２ｂ（サービス券利用と付されたもの）をクリックすると、端末クライアント１０ａのディスプレイ１６ａには、サービス券暗証番号の入力画面（図示省略）が表示される。ここで、利用者が、端末クライアント１０ａのキーボード１６ｅを用いて、Ｇ店の広告者番号（広告主番号）に相当する”５５５”を入力する。
【００６７】
一方、暗証番号保持手段１４１ｂには、Ｇ店とＧ店の広告者番号が”５５５”であることが保持されており、暗証番号識別結果出力手段１４１ａは、利用者によって入力された広告者番号を保持しており、かつ、暗証番号が真であれば、認証を真と判定し、主制御手段１１１ｃによってＧ店のＣＭが１５秒間流れる。そして、１５秒が経過した後に、主制御手段１１１ｃは、ＵＲＬを本人サーバ１２の広告保持手段１２ａから、インターネット接続用の初期画面のＵＲＬに変更するのである。
【００６８】
このように、広告者は、暗証番号を利用者に入力させることによって、特定の利用者に対する広告を効果的に行なえ、また、広告者は、暗証番号を利用者に入力させることによって、例えば自社の商品やサービスについての情報を、特定の顧客に対して送ることができる。
従って、サービス提供者が広告者に提案する広告料金は、少なくとも３段階ある。一番廉価なのは、第１の広告方法により、コイン又は紙幣を投入しない間に表示されるＣＭである。次に、第２の広告方法が第１の広告方法に続き、最も高価なものは第３の広告方法である。そして、広告者は、サービス提供者との契約によって、これら３種類のうちのいずれかを選択するのである。
【００６９】
さらに、このように、利用者はコイン又は紙幣を投入したときと同一の秒数だけ、インターネットを利用することができる。
以下、上述のごとく構成された本システム９におけるインターネット接続の流れについて、図１２〜図１５を参照して説明する。また、端末クライアント１０ａを例にするが、端末クライアント１０ｂ〜１０ｄも同様の処理フローである。
【００７０】
図１２は本発明の第１実施形態に係る端末クライアント１０ａの処理を示すフローチャートである。
まず、端末クライアント１０ａの電源が投入されると、端末クライアント１０ａは、本人サーバ１２の広告情報をロードして、宣伝用画面（広告画面）が表示される（ステップＡ１）。
【００７１】
図１３は本発明の第１実施形態に係る端末クライアント１０ａの宣伝用画面表示の処理を示すフローチャートであるが、端末クライアント１０ａは、まず、宣伝１（図７参照）を表示し（ステップＡ１０１）、宣伝２を表示し（ステップＡ１０２）、宣伝３を表示し（ステップＡ１０３）、宣伝４を表示し（ステップＡ１０４）、同様に、宣伝５を表示する（ステップＡ１０５）。
【００７２】
また、図１２のステップＡ２において、端末クライアント１０ａは、利用者によって、コインなどが投入されたかを監視し続け、投入されない間は、ＮＯルートのループを通り、宣伝表示をし続ける。ここで、コインなどの投入が検出されると、端末クライアント１０ａは、初期画面データをロードし、そして、ＹＥＳルートを通り、ステップＡ３において、コイン又は紙幣の残高をカウントする。
【００７３】
図１４は本発明の第１実施形態に係る端末クライアント１０ａのコイン又は紙幣カウント処理を示すフローチャートである。まず、端末クライアント１０ａは、コイン又は紙幣について残高をカウントして（ステップＢ１）、ステップＢ２において、残高が０になったかどうかを判定する。ここで、残高が０でない間は、端末クライアント１０ａは、ＮＯルートを通り、残高を監視し続ける。
【００７４】
そして、一定時間経過後に残高が０になると、ＹＥＳルートを通り、端末クライアント１０ａは、ステップＢ３において、「コイン又は紙幣を挿入して下さい」という文言と、タイマーのカウントダウン（図９など参照）をディスプレイ１６ａに表示し、ステップＢ４において、利用者がコイン又は紙幣を投入したかどうかが判定されて、挿入されていないと判定されると、ＮＯルートを通り、ステップＢ７の宣伝画面表示（図７参照）が行なわれる。
【００７５】
一方、ステップＢ４において、挿入されたと判定されると、ＹＥＳルートを通り、ステップＢ５において、カウント数が追加され、ステップＢ６において、初期画面（図９，図１０参照）が表示される。
そして、このカウント処理が終了すると、端末クライアント１０ａは、利用者がクリックしたアイコンに応じて、図１２のステップＡ４〜ステップＡ１２の処理を選択実行する。
【００７６】
ここで、ステップＡ４は前のページに戻る操作であり、ステップＡ５は次のページに進む操作であり、ステップＡ６は途中でやめる操作であり、ステップＡ７は初期画面に戻る操作である。また、ステップＡ８は電子メール（Ｅメール）を送信する操作であり、ステップＡ９は伝言を掲示板に書き込む操作であり、ステップＡ１０は印刷を実行する操作である。加えて、ステップＡ１１はクーポンを発行しているホームページにリンクする操作であり、ステップＡ１２は占いページを閲覧する操作である。また、ステップＡ１０及びステップＡ１２の操作により残高カウントが減算される。
【００７７】
このように、カウント数の残高が足りている限り、ネットワーク上にて、商品の購入，チケット購入，公共料金の支払いなどの決済手段として使用できる。
次に、図１５は本発明の第１実施形態に係る広告表示を説明するためのフローチャートである。
まず、広告者は、サービス券２３を、この端末クライアント１０ａ〜１０ｄを設置している店舗の近隣に位置する他の店舗などにて配布したり、又は、特定のホームページにアクセスした利用者に対して送付するなどして配布する。
【００７８】
次に、図１５に示す６種類のディスプレイ１６ａの表示（Ｅ１〜Ｅ７と付されたもの）について説明する。まず、画面Ｅ１は、利用者が現金を投入していないで広告が繰り返して表示されている。ここで、利用者が現金を投入すると、１と付されたルートを通り、画面Ｅ２の初期画面が表示される。
そして、利用者が、ディスプレイ１６ａのアイコン２２ａをクリックすると、２と付されたルートを通り、画面Ｅ３にて、広告者のＣＭが、ランダムに１５秒間流れ、種々の広告者のＣＭが次から次に流れる。その後、ディスプレイ１６ａには、初期画面（又は他の企業のホームページの画面）が表示され（画面Ｅ４）、利用者は、インターネット接続を無料で行なう（画面Ｅ５）。さらに、利用者は追加のコイン又は紙幣を投入することにより、そのコイン又は紙幣の金額に相当する時間だけ、インターネット接続を継続できる。
【００７９】
また、画面Ｅ１にて、利用者が、アイコン２２ｂをクリックすると、３と付されたルートを通り、画面Ｅ６にて、利用者は、サービス券の暗証番号の入力を求められる。そして、利用者は、３桁の広告者番号と８桁の暗証番号とを入力する。ここで、端末クライアント１０ａは、入力された広告者番号が、予め保持されている複数の３桁（例えば”５５５”）の広告者番号のうちのいずれかと同一であるときは、次のＣＭの表示を停止する。
【００８０】
そして、その特定の広告者の広告が１５秒間流される（画面Ｅ７）。そして、その後、画面Ｅ４，Ｅ５の表示が行なわれる。
このように、広告者は、利用者に対する広告効果を高めることができ、自社製品などの周知を図ることができる。また、広告者は、確実に自社製品を宣伝することができるので、顧客吸引力を向上させることができる。
【００８１】
また、このように、サービス提供者は、広告者から広告料金を得ることができるとともに、利用者からコイン又は紙幣を回収して料金を徴収できる。
さらに、このように、利用者は、インターネット接続がゲーム機器を取扱う感覚や、公衆電話の感覚で利用できるようになり、一層、簡便性が向上する。
このようにして、利用者がインターネット接続を利用していない間は、自動的に広告が表示されるので広告塔として機能し、余剰スペースを有効に利用できるので、利用者に対して付加価値の高いサービスを提供することができる。
【００８２】
（Ａ１）第１実施形態の変形例の説明
上述の端末クライアント１０ａ〜１０ｄのそれぞれと、インターネット８との間は、ＯＣＮによらなくとも実施可能である。
図１６は本発明の第１実施形態の変形例に係るクライアントサーバシステムの構成図である。この図１６に示すクライアントサーバシステム９ａは、情報を提供しうる複数のサーバがインターネット８を介して接続されたクライアントサーバシステムである。そして、このシステム９ａは、インターネット８と、本人サーバ１２と、サーバ１３ａ〜１３ｂとをそなえるほか、プロキシーサーバ１７ａ〜１７ｄと、複数の端末クライアント１０ｅとをそなえて構成されている。このシステム９ａが用いられる場合、図３に示すターミナルアダプター１４ａは不要となる。
【００８３】
ここで、プロキシーサーバ１７ａ〜１７ｄは、それぞれ、ゲートウェイ機能を有するものであって、例えばワークステーションやパソコンにより、この機能は発揮される。また、端末クライアント１０ｅは、それぞれ、上述した端末クライアント１０ａ〜１０ｄと同様なものであり、パソコンなどが用いられている。なお、上述したものと同一の符号を有するものは同一のもの又は同様な機能を有するものであるので、重複した説明を省略する。
【００８４】
また、パソコン１１１のトラックボール１６ｃの代わりにマウスを用いたり、コンパクトディスクドライブ（ＣＤ−ＲＯＭドライブ）などを設けて実施してもよい。さらに、利用者が投入するのは、現金に限らず、コイン・紙幣投入ボックス１６ｂの代わりに、前払い式のカード（磁気カード、ＩＣカードなど）を用いることもできる。また、金額投入は、利用者以外の者によって行なわれることも可能である。
【００８５】
このようにして、利用者は第１実施形態におけるサービスと同様なサービスを受けられるほか、サービス提供者は、利用者及び広告者の双方に対して品質の高いサービスを提供できる。
（Ｂ）その他
上述したサービス券２３の形態と、広告者ＩＤ（広告者番号及び暗証番号）の表示との形態は、いずれも種々変更することができる。例えば、サービス券２３の代わりに、ティッシュペーパー，マッチ，ライターなどの販売促進用のノベリティ商品を用いたり、あるいは、新聞紙の折り込み広告を用いてもよい。
【００８６】
さらに、サービス券２３は、紙製のほかに、磁気カードや、ＩＣカードを用いてもよい。ここで、磁気カードには、広告者によって提供されたサービスを受けた履歴を書き込むことができ、これにより、広告者は、優待券として利用者に提供することができる。
そして、広告者は、暗証番号により、アクセスしてきた利用者に対して、インターネット８のホームページにアンケートページを設け、これに回答した利用者に対して、粗品を進呈するといったきめ細かいサービスを提供することができる。
【００８７】
さらに、広告者ＩＤ自身を使用するほかに、バーコードや二次元コードを用いることができる。
図１１（ｂ）は本発明の第１実施形態に係るサービス券の変形例を示す図である。この図１１（ｂ）に示すサービス券（情報伝達媒体）２３ａは、例えば、広告者により新聞や雑誌等に掲載されるようになっている。このサービス券２３ａには、バーコードが表示されており、利用者は、バーコードを読み出すバーコードリーダー（図示省略）により、読みとるようになっている。
【００８８】
そして、広告者の識別子（ＩＤ）を入力するに当たり（広告者識別子入力ステップ）、サービス券２３ａ（情報伝達媒体）に表示されたバーコードを読みとることにより、広告者ＩＤを端末クライアント１０ａ〜１０ｄに入力するようになっている。
これにより、利用者は、暗証番号を手入力する手間を省略することができ、また、確実に広告者ＩＤを入力できるようになる。
【００８９】
加えて、本発明は、上記筺体の形態に限定されるものではなく、種々変更して実施可能である。また、１００円などの金額の値は、例示であり、その額は、サービス内容により任意に変更されて実施されることは言うまでもない。そして、表示時間は、１５秒のみならず、サービス提供者は種々の時間（例えば１０秒，３０秒など）に設定することができる。
【００９０】
さらに、上記の画面表示は、例示であって、アイコンの種類、形状及び画面レイアウトなどは、種々変更して実施できる。また、端末クライアント１０ａなどは、パソコンのほか、携帯情報端末を用いても実施可能である。
加えて、第１実施形態にて説明した画面表示は、第１実施形態の変形例においても、同様に表示することができる。
【００９１】
アドレスは、ＵＲＬのみならず、ＵＲＩ（Uniform Resource Identifier，ユニフォーム・リソース・アイデンティファイア）を用いることもできる。
【００９６】
【発明の効果】
以上、詳述したように、本発明の公衆インターネット機器用の端末クライアントによれば、以下のような効果ないし利点が得られる。
（１）広告者は利用者に対する広告効果を高めることができ、自社製品などの周知を図ることができ、確実に自社製品を宣伝することができるので、顧客吸引力を向上させることができる。
（２）広告者は、自社の広告を半ば強制的に利用者に認識させるので、広告効果が向上する。
（３）自社の消費やサービスについての情報を、特定の顧客に対して送ることができる。
（４）広告者は暗証番号を利用者に入力させることによって、特定の利用者に対する広告を効果的に行なえ、かつ、利用者はコインなどを投入したときと同一の秒数だけインターネット接続が可能となる利点がある。
（５）サービス提供者は広告者から広告料金を得ることができるとともに利用者からコインを回収して料金を徴収できる。
（６）利用者はインターネット接続がゲーム機器を取扱う感覚や公衆電話の感覚で利用できるようになり一層の簡便性が向上する。
（７）加えて、利用者は、暗証番号を手入力する手間を省略することができ、また、確実に広告者ＩＤを入力できる利点がある。
【図面の簡単な説明】
【図１】本発明を適用されるクライアントサーバシステムの構成図である。
【図２】本発明の第１実施形態に係る本人サーバの機能ブロック図である。
【図３】本発明の第１実施形態に係る端末クライアントのハードウェアの構成図である。
【図４】本発明の第１実施形態に係る端末クライアントを模式的に示す斜視図である。
【図５】本発明の第１実施形態に係る端末クライアントの機能ブロック図である。
【図６】本発明の第１実施形態に係る現金投入前の画面表示の一例を示す図である。
【図７】本発明の第１実施形態に係る現金投入前の画面表示の一例を示す図である。
【図８】本発明の第１実施形態に係る広告表示の一例を示す図である。
【図９】本発明の第１実施形態に係る現金投入後の初期画面表示の一例を示す図である。
【図１０】本発明の第１実施形態に係るアイコン配置の説明図である。
【図１１】（ａ）は本発明の第１実施形態に係るサービス券を示す図であり、（ｂ）は本発明の第１実施形態に係るサービス券の変形例を示す図である。
【図１２】本発明の第１実施形態に係る端末クライアントの処理を示すフローチャートである。
【図１３】本発明の第１実施形態に係る端末クライアントの宣伝用画面表示の処理を示すフローチャートである。
【図１４】本発明の第１実施形態に係る端末クライアントのコイン又は紙幣カウント処理を示すフローチャートである。
【図１５】本発明の第１実施形態に係る広告表示を説明するためのフローチャートである。
【図１６】本発明の第１実施形態の変形例に係るクライアントサーバシステムの構成図である。
【符号の説明】
８    インターネット
９，９ａ    クライアントサーバシステム
１０ａ〜１０ｄ，１０ｅ    端末クライアント
１１ａ    ＣＰＵ
１１ｂ    ハードディスク
１１ｃ    ＲＯＭ
１１ｄ    バスライン
１１ｅ    ＲＡＭ
１２    本人サーバ（管理サーバ）
１２ａ    広告保持手段
１２ｂ，１１１ａ    送信手段
１２ｃ，１１１ｂ    受信手段
１２ｅ，１１１ｃ    主制御手段
１２ｆ    記憶手段
１２ｇ    変換手段
１２ｈ    広告者情報保持手段
１３ａ〜１３ｂ  サーバ
１４ａ    ターミナルアダプター
１４ｂ〜１４ｄ    インターフェース手段
１６ａ    ディスプレイ
１６ｂ    コイン・紙幣投入ボックス
１６ｃ    トラックボール
１６ｄ    フロッピーディスクドライブ
１６ｅ    キーボード
１６ｆ    プリンタ
１６ｇ    荷物置き場
１６ｈ    記憶媒体ドライブ手段
１７ａ〜１７ｄ    プロキシーサーバ
２３，２３ａ    サービス券（情報伝達媒体）
１１１    パソコン
１１１ｄ    動作制御手段
１１１ｅ    表示手段
１１１ｆ    入力手段
１１１ｇ    印刷手段
１１１ｈ    残高保持手段
１１１ｉ    支払い額計算手段
１１１ｊ    事象検出手段
１１１ｋ    現金投入手段
１２０    アイコン群
１４１ａ    暗証番号認証結果出力手段
１４１ｂ    暗証番号保持手段
【図１】
0004109412.tif 000002
【図２】
0004109412.tif 000003
【図３】
0004109412.tif 000004
【図４】
0004109412.tif 000005
【図５】
0004109412.tif 000006
【図６】
0004109412.tif 000007
【図７】
0004109412.tif 000008
【図８】
0004109412.tif 000009
【図９】
0004109412.tif 000010
【図１０】
0004109412.tif 000011
【図１１】
0004109412.tif 000012
【図１２】
0004109412.tif 000013
【図１３】
0004109412.tif 000014
【図１４】
0004109412.tif 000015
【図１５】
0004109412.tif 000016
【図１６】
0004109412.tif 000017